(57)【要約】【課題】従来の遊技機では、メダル受皿が遊技機本体に固定され、前後左右面が一体形成された箱状となっており、入賞が連続して大量のメダルが払出され、メダル受皿がメダルで一杯になると、メダル受皿のメダル排出口からメダルが排出されず、メダル詰まりを起して遊技機がエラー状態となるため、ある程度メダルが溜まると、遊技者は手でメダルを少量づつ掴み取って近傍に置かれたドル箱にメダルを移す作業を行わなければならず、煩わしいという問題があった。【解決手段】遊技者のシャッター扉の開閉操作によって容易にメダル受皿を開閉させることができるとともに、シャッター扉が移動する動力を利用して自動的にメダル受皿内のメダルが排出されるようにしたメダル受皿を提供する。【選択図】        図３
2004255134.tif 000002
【特許請求の範囲】
【請求項１】
外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段の抽選結果が役に当選している場合に、遊技者にメダルを払い出すメダル払出し手段とを備えた遊技機において、
前記メダル払い出し手段はメダル受皿を備え、
前記メダル受皿は、上面が開口した箱状の形態をなしており、底面の四辺から垂直方向に立設された四つの面の少なくとも一つの面を開閉自在に移動して開口部を形成する開閉手段を備え、
前記開閉手段は、複数のスラット材を結合して成る少なくとも一つのシャッター扉から構成されていることを特徴とする遊技機。
【請求項２】
前記開閉手段は、前記シャッター扉が装着される開口部を介して対向する一対の側面の内面縁端部及び底板の内面又は外面のいずれか一方の両側縁端部にレール部材を設け、前記シャッター扉を前記レール部材に沿って開閉可能に滑動できるようにしたことを特徴とする請求項１に記載の遊技機。
【請求項３】
前記開閉手段は、上下方向に移動させることを特徴とする請求項２に記載の遊技機。
【請求項４】
前記遊技機は、前記複数のリールと前記複数のリール停止手段とを備えた操作パネル部が、水平面状に設けられたテーブル式スロットマシンであることを特徴とする請求項１から請求項３のいずれか１項に記載の遊技機。
【請求項５】
外周に図柄を配列した複数のリールと、前記複数のリールを個々に回転させるためのリール駆動手段と、前記複数のリールに対応し、前記複数のリールを個々に停止させるための複数のリール停止手段と、遊技毎に抽選を行う抽選手段と、前記抽選手段の抽選結果が役に当選している場合に、遊技者にメダルを払い出すメダル払出し手段とを備えた遊技機において、
前記メダル払い出し手段はメダル受皿を備え、
前記メダル受皿は、上面が開口した箱状に形態をなしており、底面の四辺から垂直方向に立設された四つ面の少なくとも一つの面を開閉自在に移動して開口部を形成する開閉手段と、
前記開閉手段は、複数のスラット材を結合して成る少なくとも一つのシャッター扉であって、
前記開閉手段の開閉操作によってメダル押出し機構が作動し、前記メダル押出し機構は、動力伝達切換手段と、前記動力伝達切換手段と連動する変動体とから構成されていることを特徴とする遊技機。
【請求項６】
前記変動体は、変動底板と変動背板から成り、前記変動底板及び前記変動背板は、前記変動背板の側面に設けられた縦長孔を介して互いに軸支された結合部を有し、前記開閉手段の開閉操作と連動する前記動力伝達切換手段の作動に伴って、前記結合部が上下方向に移動して、前記変動底板の前記開口部方向への傾斜角度が変化することを特徴とする請求項５に記載の遊技機。
【請求項７】
前記変動体は、前記メダル受皿本体を形成する外枠体とは別体で設けられ、前記変動底板及び前記変動背板の少なくとも一つを変動可能とすることを特徴とする請求項５に記載の遊技機。
【請求項８】
前記動力伝達切換手段は、前記シャッター扉に設けられたラック部と咬合する第１の歯車と、前記第１の歯車と同軸で軸支された第２の歯車と、前記第２の歯車と歯合する第３の歯車と、前記第３の歯車は歯形部の裏側に第１のローラーを有し、前記変動底板の側面に一端が固定され、他の一端が前記第１のローラーに巻着されたワイヤーと、前記第１の歯車の回転に対応して、前記ワイヤーが前記第１のローラーに巻き取られるに従って、前記ワイヤーに一部を上方で保持し、前記変動底板の一端部が上方に持ち上がる高さを調整する第２のローラーから成ることを特徴とする請求項５に記載の遊技機。
【請求項９】
前記第１の歯車及び前記第２の歯車は、前記シャッター扉の開口状態に対応して、前記変動体を移動させるための歯車減速機であり、前記第３の歯車は、前記第２の歯車と歯合して前記シャッター扉の移動速度より低速で前記変動底板を変動させることを特徴とする請求項８に記載の遊技機。
【請求項１０】
前記動力伝達切換手段は、前記メダル受皿の左右両側面の少なくともいずれか一方に設けられていることを特徴とする請求項８に記載の遊技機。
【請求項１１】
前記シャッター扉の両側縁端部の少なくともいずれか一方に、前記動力伝達切換手段と咬合するラック部を設けたことを特徴とする請求項８に記載の遊技機。
【請求項１２】
前記遊技機は、前記複数のリールと前記複数のリール停止手段とを備えた操作パネル部が、水平面状に設けられたテーブル式スロットマシンであることを特徴とする請求項５から請求項１１のいずれか１項に記載の遊技機。
【発明の詳細な説明】
【０００１】
【発明の属する技術分野】
本発明は、図柄が配列された複数のリールを回転表示し、遊技者のリール停止ボタン操作によって、すべてのリールの回転が停止した時に現れる図柄の組み合わせに基づいて入賞が決定され、所定の払出しが行われるスロットマシンに代表される遊技機に関する。
【０００２】
【従来の技術】
従来のスロットマシンに代表される遊技機は、遊技機正面の表示窓内に、外周に図柄が配列された３個の回転リールを備えており、外周に配列された図柄は遊技中に遊技者が図柄を目視しやすいように、各リール内側に設けられたランプ又はＬＥＤ（以下バックライトという）によって後面から照らされている。
【０００３】
遊技者が、メダル投入口にメダルを投入し、スタートレバーを操作すると、各リールは回転を開始してゲームがスタートする。各リールが一斉に回転を始めると、表示窓には図柄が移動して表示される。
【０００４】
遊技者が移動表示される図柄を見ながら各リールに対応する停止ボタンを操作すると、夫々のリールが停止し、有効ライン上にいずれかの図柄が停止する。
有効ラインは５本設けられており、メダルの投入枚数が１枚、２枚、３枚と増えるにつれて、有効となるラインの本数も１本、３本、５本と増えるようになっている。その結果、有効となっているライン上に所定の図柄組み合わせが揃うと入賞となり、遊技機本体のホッパーからメダル受皿の奥に設けられたメダル排出口を通してメダル受皿にメダルの払出しが行われる。
【０００５】
遊技者は、役に対応する図柄を有効となっているライン上に停止させるように停止ボタンを操作する。
そして有効となっているライン上に当選役に対応する図柄を揃えることができれば、その役に対応する枚数のメダルの払出しを受けることができる。また、役に対応する図柄を揃えることができなければ投入したメダルを失うことになる。
【０００６】
入賞役に対応して所定のメダルの払出し枚数が決められており、小役と呼ばれる役に入賞した場合は、通常数枚から十数枚のメダルが払い出され、ボーナス役に入賞し、所定のボーナスゲームを消化すると数百枚のメダルが払い出される。更にこうしたボーナス役が続いて発生する場合もあり、そうした場合には遊技者は大量のメダルを獲得することができる。
【０００７】
従来においては、メダル受皿は遊技機下部に固定され、メダル排出口から払出されたメダルをその内部に溜めるために上方が開口した略矩形に形成されている。
【０００８】
【発明が解決しようとする課題】
しかしながら、上記従来の遊技機では、メダル受皿が遊技機本体に固定され、前後左右面が一体形成された箱状となっており、入賞が連続して大量のメダルが払出され、メダル受皿がメダルで一杯になると、メダル受皿のメダル排出口からメダルが排出されず、メダル詰まりを起して遊技機がエラー状態となるため、ある程度メダルが溜まると、遊技者は手でメダルを少量づつ掴み取って近傍に置かれたドル箱にメダルを移す作業を行わなければならず、煩わしいという問題があった。
【０００９】
本発明は、上記の問題を解決するためになされたものであり、その目的は、メダル受皿に大量に溜まったメダルを容易にドル箱に移すことができるメダル受皿を提供し、かつこのようなメダル受皿を用いた遊技機を提供する事にある。
【００１０】
さらには、遊技者のシャッター扉の開閉操作によって容易にメダル受皿を開閉させることができるとともに、シャッター扉が移動する動力を利用して自動的にメダル受皿内のメダルが排出されるようにしたメダル受皿を提供する。
【００１１】
【課題を解決するための手段】
上記課題を解決するため、本発明においては、外周に図柄を配列した複数のリールと、これら複数のリールを個々に回転させるためのリール駆動手段と、複数のリールに対応してリールを個々に停止させるための複数のリール停止手段と、遊技毎に抽選を行う抽選手段と、その抽選結果が役に当選している場合に、メダル払出し制御手段によって遊技者にメダルを払出すメダル払出し手段とを備えた遊技機において、上記メダル払出し手段はメダル排出口とメダル受皿を備え、メダル受皿は、上面が開口した箱状の形態をなしており、底面の四辺から垂直方向に立設された四つ面の少なくとも一つの面を開閉自在に移動して開口部を形成する開閉手段が設けられている。
【００１２】
本構成によれば、上記開閉手段は、上下方向に移動可能な複数のスラット材を結合して成る少なくとも一つのシャッター扉から成り、シャッター扉が装着される開口部を介して対向する一対の側面の内面縁端部、及び底板の内面又は外面のいずれか一方の両側縁端部にレール部材を設け、シャッター扉をレール部材に沿って開閉可能に滑動できるようにしたことを特徴とする。
【００１３】
また、メダル押出し機構は、複数のスラット材を結合して成る少なくとも一つのシャッター扉と、この開閉手段の開閉操作に従動する上記メダル受皿の左右両側面の少なくともいずれか一方に設けられた動力伝達切換手段と、上記動力伝達切換手段と連動する変動体から構成されていることを特徴とする。
【００１４】
上記変動体は、変動底板と変動背板から成り、変動底板及び変動背板は、変動背板の側面に設けられた縦長孔を介して互いに軸支された結合部を有し、開閉手段の開閉操作と連動する動力伝達切換手段の作動に伴って、結合部が上下方向に移動して、変動底板の開口部方向への傾斜角度が変化することを特徴とする。
【００１５】上記変動体は、メダル受皿本体を形成する外枠体とは別体で設けられ、変動底板及び変動背板の少なくとも一つを変動可能とすることを特徴とする。
【００１６】
上記動力伝達切換手段は、シャッター扉の移動に対応してシャッター扉の両側縁端部の少なくともいずれか一方に設けられたラック部と咬合する第１の歯車と、第１の歯車と同軸で軸支された第２の歯車と、第２の歯車と歯合する第３の歯車と、第３の歯車は歯形部の裏側に第１のローラーを有し、変動体を構成する変動底板の側面に一端が固定され、他の一端は第１のローラーに巻着されたワイヤーと、第１の歯車の回転に対応して、上記ワイヤーが第１のローラーに巻き取られるのに従って、このワイヤーの一部分を上方で支持し、変動底板の一端部が上方に持ち上がる高さを調整する第２のローラーから成ることを特徴とする。
【００１７】
本構成によれば、第１の歯車及び第２の歯車は、シャッター扉の開口状態に対応して、変動底板を移動させるための歯車減速機であり、第３の歯車は、第２の歯車と歯合してシャッター扉の移動速度より低速で変動底板を変動させることを特徴とする。
【００１８】
また、シャッター扉のラック部と咬合する第１、第２及び第３の歯車の回転運動によって、シャッター扉の開閉動作が助勢され、遊技者は容易にシャッター扉の開閉を行うことができる。
【００１９】
【発明の実施の形態】
以下、本発明の好ましい実施形態を、図面に基づいて説明する。図１は、本発明の実施に係る遊技機を示す斜視図である。図２は、本発明の第一の実施例に係るメダル受皿の斜視図である。図３は、本発明の第二の実施形態に係るメダル押出し機構の側面図であり、図４は、図３のＡ−Ａ線断面図、図５は、本発明の第二の実施例に係るメダル押出し機構の動作状態を示す側面図である。
【００２０】
図１に示すように、本発明に係る遊技機１は、図柄を表示する複数リール２と、それらのリールを観察するための表示窓３、各リールを回転させるリール回転装置４と、個々のリールの回転を停止させる複数の停止ボタン５と、メダル投入口６とを備え、更には遊技機１の内部には、図示しないが、メダル払出機と、リール制御基面と、払出制御基面とが設けられており、メダル受皿１０と、メダル受皿１０の一つの内面に開口して設けられ、メダル払出機から払出されるメダルを排出するメダル排出口１１を少なくとも構成の主要部として備え、リール回転装置４と停止ボタン５とを備えた操作パネル部７が、水平面状に設けられている。
【００２１】
本実施例では、操作パネル部７に張出部８を設けている。遊技機上部には、遊技機の名称や遊技内容等を記した装飾パネル部９を備える。遊技時の利便性を考慮して、メダル受皿１０は操作パネル部７に隣接して設けられている。
【００２２】
複数のリール２は、リールユニット（図示せず）として構成され、各リール毎にリール駆動手段の一部であるステッピングモータ（図示せず）が連結されており、このステッピングモータの駆動によって各リールを回転させ、表示窓３内に各リールを移動表示させる。各リール２の内部には３個のランプケース（図示せず）がそれぞれ設けられており、各ランプケース内にバックライト（図示せず）が取り付けられている。各バックライトはランプ駆動回路（図示せず）を介して個別に点灯制御され、各リール毎に３個ずつ図柄を下から照らすことができる。
【００２３】
表示窓３には、有効ラインが横方向に３本（図示せず）と、斜め方向に２本（図示せず）の合計５本のラインが表示されるようになっている。各リールが順次停止し、この有効ライン上のいずれかに特定の図柄が揃った場合に入賞となり、所定のメダルの払出しが行われる。
【００２４】
有効ライン数は、メダル投入口６から投入されたメダル枚数、或いは、クレジットメダル表示部（図示せず）にメダルがクレジットされている場合には、ＢＥＴスイッチ（図示せず）の押下操作によって設定されたメダル投入数に応じて有効本数が異なる。例えば１枚のメダルが投入された場合は、ＢＥＴ表示ランプ１２ａが点灯し、１本の有効ラインが表示され、２枚のメダル投入があった場合は、ＢＥＴ表示ランプ１２ｂが点灯し、３本の有効ラインが表示さる。そして３枚のメダルが投入されるとＢＥＴ表示ランプ１２ｂｃが点灯して、５本全ての有効ラインが表示される。
【００２５】
遊技機１の操作パネル部７には、各リール２を回転させるための可変表示始動手段であるリール回転装置４が設けられ、更に、各リールの回転を停止させるためのリール停止手段である停止ボタン５が各リールに対応して３個設けられている。
【００２６】
また、操作パネル部７の右端部のメダル受皿１０は、投入されたメダルを返却する返却口（図示せず）、及び入賞時に獲得したメダルが払い出されるメダル排出口１１から排出されたメダルを貯留するために設けられている。
【００２７】
第２図を参照して、本発明の第一の実施例であるメダル受皿の開閉手段について説明する。本実施例においては、メダル受皿１０の右側面を移動可能なシャッター扉１３としている。メダル受皿１０がメダルで満杯になり、メダルをドル箱に移す場合には、遊技者はこのシャッター扉１３を下方に押し下げて、その開口部１４にドル箱を密接させ、メダル受皿内のメダルを一気にドル箱に押し出すことができる。
【００２８】
シャッター扉１３自体は、複数のスラット部材を互いに変形自在に枢着し、移動方向に対して可撓性を有する周知の構造を有したものが市販されている。
【００２９】
また、シャッター扉１３が装着される開口部１４を介して対向する一対の側板１５の内面縁端部及び底板の外面両側縁端部にレール部材１６が設けられ、シャッター扉１３はレール部材１４に沿って上下方向に開閉可能に滑動する。
【００３０】
上述した構成によれば、シャッター扉１３を用いることにより、メダル受皿１０の一面を十分に開口することができるため、メダル受皿１０内のメダルを排出し易くなるとともに、開口時にはシャッター扉１３はメダル受皿１０底板１７の下部に収納されるため、扉の開閉に余計な空間や収納スペースを要せず、小面積、狭小空間で扉の開閉動作を行うことができる。
【００３１】
さらには、シャッター扉１３の組み込み及び取り外しは、メダル受皿１０上面の開口からレールに沿って容易に行うことができるため、例えば遊技機に隣接してメダル貸出機を設置する場合等、シャッター扉１３が不要の場合にも柔軟に対応することができる。
【００３２】
第３図乃至第５図を参照して、本発明の第二の実施例のであるメダルの自動押出し機構について説明する。本実施例においては、図３に示すように、メダル受皿１０の外枠体は、側板１５と、背板１８と、背板１８と一体に形成された２枚の底板１９ａ、１９ｂから構成され、下方向に押下操作されたシャッター扉１３は、この二重構造の底板１９ａ及び１９ｂとの間に収納されるようになっている。
【００３３】
メダル受皿１０の内部には、変動体を構成する変動底板２０と変動背板２１が取付けられている。変動底板２０の開口部１４側の縁端部及び変動背板２１の上方縁端部は側板１５にそれぞれ軸支され、この変動底板２０と変動背板２１は、変動背板２１の側面に設けられた縦長孔２２及びの側板１５の縦長孔２２にほぼ対応する位置に設けられた略弓形の長孔２３を介して互いに軸支された結合部を有し、縦長孔２２及び弓形長孔２３の形状に沿って上下方向に摺動可能となっている。変動底板２０が持ち上がるに従って、この結合部は縦長孔２３に沿って上方向に移動し、変動背板２１の下方端部は開口部１４方向に移動する。
【００３４】
図３及び図４に示すように、動力伝達切換手段は、シャッター扉１３の移動に対応してラック部２６と咬合する第１の歯車２７と、第１の歯車と同軸で軸止された第２の歯車２８と、第２の歯車と歯合する第３の歯車２９から成り、第３の歯車２９は歯形部の裏側に駆動ローラー３０を有している。変動底板２０の側面の適宜位置にワイヤー３２の一端が、側板１５に設けられた弓形長孔２５を挿通して固定部材２４で固定され、他の一端は駆動ローラー３０に巻着されている。更には、ワイヤー３２の一部を上方適宜位置で保持するとともに、第１、第２及び第３の歯車（２７、２８、２９）の回転に対応してワイヤー２４が駆動ローラー２２に巻き取られるのに従って変動底板２０の一端部が上方に持ち上がる高さを調整する固定ローラー２３から構成されている。
【００３５】
第１及び第２の歯車（２７、２８）は一体構造の歯車減速機であり、底板１９ｂの側面端部に設けられた切欠き部３５に配設され、底板１９ｂの裏側縁端部に固定された軸支持部材３４を嵌通する歯車軸３３によって回転可能に軸着されている。また、駆動ローラー３０と一体に形成された第３の歯車２９及び固定ローラー３１は、側板１５にそれぞれ回転自在に支持されている。
【００３６】
図５を参照して、第二の実施例であるメダル押出し機構の動作状態について説明する。シャッター扉１３が閉扉されている状態（Ａ）では、変動底板２０及び変動背板１８はそれぞれ水平及び垂直に位置（Ａ’、Ａ”）する。遊技者が任意のタイミングでシャッター扉１３を押し下げると（Ｂ）、シャッター扉１３は、二重の底板１９ａ及び１９ｂの間に移動しつつ収納される。その際、シャッター扉の外側両側縁端部の少なくともいずれか一方に設けられたラック部２６が、歯車減速機の第１の歯車２７と咬合し、第１、第２、第３の各歯車（２７、２８、２９）が回転を開始すると共に、駆動ローラー３０及び固定ローラー３１の働きによってワイヤー３２が巻上げられる（Ａ’−Ｂ’）。それに伴って、変動底板２０及び変動背板２１の結合部が縦長孔２２及び弓形長孔２３の形状に沿って上方向に移動（Ｂ”）するとともに、ワイヤー３２の巻上げ動作に従動して、変動背板１８の下方端部も対応してシャッター扉１３方向にややスライドし、変動底板２０がやや傾斜する。さらに、シャッター扉１３が押し下げられる（Ｃ）ことによって、ワイヤー３２は更に巻き上げられ（Ｃ’）、変動底板２０の縁端部も更に持ち上げられる（Ｃ”）ため、変動底板２０の傾斜角度が大きくなり、内部に貯留されているメダルを一気に排出することが可能となる。
【００３７】
動力伝達切換手段は、シャッター扉１３が装着されるメダル受皿の外枠体の両側板１５の少なくともいずれか一方の外面部に配設され、また、該シャッター扉１３の外面両側縁端部の少なくともいずれか一方にラック部２６が設けられている。シャッター扉１３の開閉操作に伴って、上記ラック部２６は第１の歯車２７と咬合して移動する。従って、シャッター扉の移動は、第１の歯車２７の回転に助勢されて円滑に動作することができる。
【００３８】
第１の歯車２７の回転に対応して、同軸で軸止された第２の歯車２８が回転を開始する。第２の歯車２８は、第１の歯車２７よりも大きい形状をなしており、これら２つの歯車のそれぞれの大きさは、シャッター扉１３が移動して開口する位置及び移動速度と、変動体が移動を開始するタイミング及び移動速度とが適切な関係となる減速比に応じて決定される。
【００３９】
第３の歯車２９は、第２の歯車２８と歯合して回転を開始する際に、第１及び第２の歯車から成る歯車減速機によって一定の減速比に落とされた速度が伝達されるとともに、第３の歯車２９と一体に形成された駆動ローラー３０がワイヤー３２の巻き取りを開始し、固定ローラー３１を支点にしてワイヤー３２の一端が固定されている変動底板２０の開口部対向端側を持ち上げる。持ち上げる高さは、固定ローラーの取付け位置の高さ、弓形長孔２３及び２５の大きさに対応して変動し、変動底板２０を一定の角度まで傾斜させることができる。
【００４０】
なお、本実施例においては、シャッター扉の移動による動力を利用し、その動力を歯車とワイヤーに伝達することによって変動底板を移動させるようにしたが、動力伝達切換手段はこれに限るものではなく、例えば、平行リンクガイドにより背板及び底板の少なくとも一つを平行移動するようにしたリンク機構や、ねじ棒を用いて変動底板を移動させるねじ送り方式によって行うこともでき、さらには、動力源としてモーターを併用してシャッター扉の開閉及び変動底板の移動を完全自動制御するようにすることも可能である。
【発明の効果】
以上のように、本発明によれば、メダル受皿に移動可能なシャッター扉を設けることにより、遊技者はシャッター扉を押し下さげることによって容易にメダル受皿を開口させることができ、更には、メダル押出し機構を設けることにより、メダル受皿がメダルで一杯になった場合に、遊技者はシャッター扉を移動させるだけで、手でメダルを掻き出す作業をすることなく、自動的にメダルをドル箱に移すことができる。また、少量ずつメダルを掴み出してメダルを移動させる手間隙を削減するこができ、さらには、手掴みでメダルを移動させる時に、メダルがこぼれ落ちることを防ぐことができる。
【図面の簡単な説明】
【図１】本発明の実施に係る遊技機を示す斜視図である。
【図２】本発明の第一の実施例に係るメダル受皿の斜視図である。
【図３】本発明の第二の実施形態に係る動力伝達切換手段及び変動体の側面図である。
【図４】図３のＡ−Ａ線断面図である。
【図５】本発明の第二の実施例に係るメダル押出し機構の動作状態を示す側面図である。
【符号の説明】
１…遊技機
７…操作パネル部
８…張出部
１０…メダル受皿
１１…メダル排出口
１３…シャッター扉
１４…開口部
１５…側板
１８…背板
１９ａ、１９ｂ…底板
２０…変動底板
２１…変動背板
２２…縦長孔
２３…弓形長孔
２４…ワイヤー固定部材
２５…弓形長孔
２６…ラック部
２７…第１歯車
２８…第２歯車
２９…第３歯車
３０…第１（駆動）ローラー
３１…第２（固定）ローラー
３２…ワイヤー
３３…歯車軸
３４…軸支持部材
３５…切欠き部
【図１】
2004255134.tif 000003
【図２】
2004255134.tif 000004
【図３】
2004255134.tif 000005
【図４】
2004255134.tif 000006
【図５】
2004255134.tif 000007